【手続補正書】
【提出日】平成16年7月26日(2004.7.26)
【手続補正１】
【補正対象書類名】明細書
【補正対象項目名】００２３
【補正方法】変更
【補正の内容】
【００２３】
次に、動作について説明する。
まず、広告データ専用チャンネルで伝送される広告データを、広告（ＣＭ）受信手段１７で受信し、該広告データを広告（ＣＭ）蓄積手段１８で蓄積，保持しておく。次に、視聴者がリモコン等により所望の番組を入力すると、放送受信手段１１が受信した放送信号のうちから、チャンネル分離手段１２は、視聴者の所望する番組のチャンネルの放送信号を分離して、これを出力端子ａに出力する。
そして、放送データ受信手段１３は、出力端子ａに出力される信号より番組の放送データを取得する。ここで、デコードソフトウェアプログラムの放送信号からのダウンロードは、放送事業者からのデコードソフトウェアプログラムの配信形態が図２(a) に示すように、チャンネル毎にそのチャンネルで放送される放送データをデコードするためのデコードソフトウェアプログラムを多重して放送するものであり、チャンネル分離手段１２が選択されたチャンネルの放送信号を出力端子ｂから出力し、プログラム受信手段１４がチャンネル分離手段１２の出力する放送信号に多重されたデコードソフトウェアプログラムを抽出してプログラム蓄積手段１５に対し出力することにより行なう。該デコードソフトウェアプログラムは、プログラム蓄積手段１５に蓄積される。この蓄積と同時に、デコードソフトウェアプログラムは、プログラム実行手段１６にロードされ、プログラム実行手段１６は、放送データ受信手段１３から出力される番組の放送データをデコードする。このとき、上記デコードソフトウェアプログラムをダウンロードして、ダウンロードされた該デコードソフトウェアプログラムを実行されるまで時間を要し、視聴者がチャンネルを指定しても瞬時には画面表示されない。そこで、視聴者がチャンネルを指定すると、ただちに、画面表示切り替え手段１９は、広告（ＣＭ）蓄積手段１８からデコードされる信号を選択して、画面表示手段２０に出力する。画面表示手段２０では、あらかじめ広告（ＣＭ）蓄積手段１８に蓄積，保持されていた広告データが表示される。そして、広告データが表示されている間に、上記デコードソフトウェアプログラムのダウンロードが完了し、プログラム実行手段１６で、該デコードソフトウェアプログラムによって上記番組の放送データのデコード準備が整ったとき、画面表示切り替え手段１９は画面表示を切り替えて、プログラム実行手段１６からデコードされる信号を画面表示手段２０に出力する。画面表示手段２０では、視聴者の所望する番組が表示される。
【手続補正２】
【補正対象書類名】明細書
【補正対象項目名】００２５
【補正方法】変更
【補正の内容】
【００２５】
また、上記では、デコードソフトウェアプログラムの放送信号からのダウンロードは、放送事業者からのデコードソフトウェアプログラムの配信形態が図２(a) に示すように、チャンネル毎にそのチャンネルで放送される放送データをデコードするためのデコードソフトウェアプログラムを多重して放送するものとしたが、放送事業者からのデコードソフトウェアプログラムの配信形態が図２(b) に示すように、放送データを放送するチャンネルとは別に放送データをデコードするためのデコードソフトウェアプログラムのみを放送するプログラム専用チャンネルを設け、放送データを放送するチャンネルで放送される放送データをデコードするためのデコードソフトウェアプログラムをこのプログラム専用チャンネルで繰り返し放送するものである場合は、チャンネル分離手段１２がプログラム専用チャンネルの放送信号を出力端子ｂから出力し、プログラム受信手段１４がチャンネル分離手段１２の出力する放送信号に多重されたデコードソフトウェアプログラムを抽出してプログラム蓄積手段１５に対し出力することにより行なう。
【手続補正３】
【補正対象書類名】明細書
【補正対象項目名】００２６
【補正方法】変更
【補正の内容】
【００２６】
チャンネル分離手段１２は異なる２つのチャンネルの放送信号をそれぞれ出力端子ａ，ｂに独立に出力することができるので、デコードソフトウェアプログラムのダウンロードの間に、放送データのデコードに必要なデコードソフトウェアプログラムがプログラム蓄積手段１５に保持されている他のチャンネルの放送信号を出力端子ａより出力することができ、番組の画面表示をすることができる。
【手続補正４】
【補正対象書類名】明細書
【補正対象項目名】００３１
【補正方法】変更
【補正の内容】
【００３１】
まず、上記実施の形態１と同様、広告データ専用チャンネルで伝送される広告データを、広告（ＣＭ）受信手段１７で受信し、該広告データを広告（ＣＭ）蓄積手段１８で蓄積，保持しておく。次に、視聴者がリモコン等の入力手段２１を用いてザッピングを開始すると（Ｓ１）、ダウンロード有無決定手段２３は、チャンネル指定手段２２により選択されたチャンネルの放送データのデコードに必要なデコードソフトウェアプログラムを検知する（Ｓ２）。ここで、放送事業者から配信される放送データは、そのデータをデコード処理するために使用するデコードソフトウェアプログラム名が記述されたタグ部を有しており、ダウンロード有無決定手段２３はチャンネル指定手段２２により選択され、チャンネル分離手段１２で分離されたチャンネルの放送データのこのタグ部を見て放送データのデコードに必要なデコードソフトウェアプログラムを検知する。次に、ダウンロード有無決定手段２３はステップＳ２で検知したデコードソフトウェアプログラムがプログラム蓄積手段１５に保持されているか否かを調べる（Ｓ３）。そして、ステップＳ２で検知したデコードソフトウェアプログラムがプログラム蓄積手段１５に保持されているときは、このデコードソフトウェアプログラムがプログラム実行手段１６にロードされる。そしてチャンネル分離手段１２は選択されたチャンネルを出力端子ａに出力し、放送データ受信手段１３はチャンネル分離手段１２の出力より放送データを取得し、プログラム実行手段１６は放送データ受信手段１３の出力をデコードする（Ｓ４）。画面表示切り替え手段１９は、放送データ受信手段１３からの入力を画面表示手段２０に出力し、該画面表示手段１５は、プログラム実行手段１６からのデコード出力に基づいて画像等を表示する（Ｓ６）。これで、ｃｈ１が表示されたものとする。
【手続補正５】
【補正対象書類名】明細書
【補正対象項目名】００３２
【補正方法】変更
【補正の内容】
【００３２】
次に、プログラム実行手段１６で、ｃｈ１の放送データが一定時間デコードされると（Ｓ４）、ｃｈ２の放送データをデコードするため、ステップ２に戻る。そして、ステップ３において、ステップ２で検知したデコードソフトウェアプログラムがプログラム蓄積手段１５に保持されていないと判断されたときは、このデコードソフトウェアプログラムの放送信号からのダウンロードを開始するとともに、画面表示切り替え手段１９は、広告（ＣＭ）蓄積手段１８からの入力に切り替え、広告（ＣＭ）蓄積手段１８からデコードされる信号を画面表示手段２０に出力する。画面表示手段２０では、広告データを画面表示する。広告データが表示されている間、ｃｈ２をデコードするためのデコードソフトウェアプログラムがダウンロードされる。上記ダウンロードが完了し、ステップ３において、上記デコードソフトウェアプログラムがプログラム蓄積手段１５に保持されていると判断されると、ｃｈ１の場合と同様にして、プログラム実行手段１６はｃｈ２の放送データをデコードする（Ｓ４）。画面表示切り替え手段１９は、放送データ受信手段１３からの入力に切り替えて、画面表示手段２０に出力し、該画面表示手段２０は、プログラム実行手段からのデコード出力に基づいて画像等を表示する（Ｓ６）。また、プログラム実行手段１６で、ｃｈ２の放送データが一定時間デコードされると（Ｓ４）、次のｃｈ３の放送データをデコードするため、ステップ２に戻り、以上の動作を繰り返してザッピングを行う。
このように、本実施の形態２による放送受信装置では、ザッピングの際に、プログラムのダウンロードを必要とするチャンネルと必要としないチャンネルとを判別し、ダウンロードを必要とする場合、ダウンロード完了まで、あらかじめ蓄積しておいた広告を画面表示する構成としたから、選択したチャンネルの放送データのデコードに必要なデコードソフトウェアプログラムがプログラム蓄積手段に保持されていないことにより表示画面上に何も表示されないという状態となることが回避され、快適なザッピングを行なうことができる。
【手続補正６】
【補正対象書類名】明細書
【補正対象項目名】００３６
【補正方法】変更
【補正の内容】
【００３６】
次に動作について説明する。
まず、実施の形態１と同様にして、伝送等される広告データを、広告（ＣＭ）受信手段１７で受信し、該広告データのヘッダに記載された上記付加情報を広告（ＣＭ）付加情報抽出手段３１で抽出するとともに、上記広告データは広告（ＣＭ）選択手段３４に送出される。一方、広告（ＣＭ）付加情報抽出手段３１で抽出された付加情報は、情報比較手段３３において、あらかじめ視聴者がキーボードなどにより入力しておいた個人情報と比較される。比較の結果は広告（ＣＭ）選択手段３４に出力され、該結果が、上記付加情報が上記個人情報と合致するというものであれば、該付加情報が記載された広告データを広告（ＣＭ）蓄積手段１８に出力して、蓄積する。これに対して、上記結果が、合致しないというものであれば、上記付加情報が記載された広告データは、広告（ＣＭ）蓄積手段１８に出力されない。このように広告（ＣＭ）蓄積手段１８に蓄積された広告データは、実施の形態１と同様、視聴者が広告表示を選択することによって画面表示されたり、或いは視聴者が番組を指定して、当該番組をデコードするために必要なデコードソフトウェアプログラムのダウンロードが完了し、当該番組が画面に表示されるまでの間に画面表示される。